(57)【要約】【課題】市販のラベル貼着機に装填でき、従来と同様にして使用できるロール状ラベルであって、ラベルシートの種類別の使用状況管理やラベル貼着した商品などの種類別数量管理など物流品のラベル貼着管理情報に利用するための控え用ラベルシートを備える。【解決手段】長尺状剥離シート３の易剥離層面にラベル基材シート層１の裏面に粘着剤層２を形成した複数枚の主ラベルシート10A と副ラベルシート10B とを規則的配列にて易剥離可能に仮接着したラベルであって、該長尺状剥離シート３には、その長尺長手方向に沿って直線状に該剥離シートを２条の剥離シート3A、3Bに切り離し分断可能な１ラインの切離用の刻切線５が刻切され、該刻切線を境にして２条に切り離し分断可能な一方側の剥離シート3Aには物流品に貼着するための主ラベルシート10A 、他方側の剥離シート3Bにはラベル控え用の副ラベルシート10B が仮貼着されている。【選択図】図１
2005212959.tif 000002
【特許請求の範囲】
【請求項１】
剥離用基材シートの片面に易剥離層を形成した長尺状剥離シートの易剥離層面に、ラベル基材シート層の裏面に粘着剤層を形成した複数枚の主ラベルシートと副ラベルシートとを該粘着剤層を介して規則的配列にて易剥離可能に仮接着したラベルであって、該長尺状剥離シートには、その長尺長手方向に沿って直線状に該剥離シートを２条に切り離し分断可能な１ラインの切離用の刻切線が刻切され、該ミシン目を境にして２条に切り離し分断可能な一方側の剥離シートには物流品に貼着するための主ラベルシート、他方側の剥離シートにはラベル控え用の１乃至複数の副ラベルシートが仮貼着されて、ロール状に巻き取られていることを特徴とする物流管理用ラベル。
【請求項２】
前記主ラベルシートとなるラベル基材シート層の表面には、物流品に関する情報が表示されていることを特徴とする請求項１記載の物流管理用ラベル。
【請求項３】
前記副ラベルシートとなるラベル基材シート層の表面には、主ラベルシートとなるラベル基材シート層の表面に表示されている物流品に関する情報の控えとなる控え情報が表示されていることを特徴とする請求項１又は２記載の物流管理用ラベル。
【請求項４】
前記主ラベルシートとなるラベル基材シート層の表面、又は／及び前記副ラベルシートとなるラベル基材シート層の表面は、物流品に関する可変情報等の印字表示が可能な印字用空白欄など印字可能領域を呈していることを特徴とする請求項１記載の物流管理用ラベル。
【請求項５】
前記主ラベルシートとなるラベル基材シート層の表面、又は／及び前記副ラベルシートとなるラベル基材シート層の表面には、予めラベル発行者名など物流品に関する固定情報が印刷されていることを特徴とする請求項４記載の物流管理用ラベル。
【請求項６】
上記請求項１乃至５のいずれか１項記載の物流管理用ラベルをロール状に巻き取り形成したロール状ラベルの巻き取り中心部を、ラベル貼着手段のラベル巻き出し軸に軸支し、ロール状ラベルの長尺状剥離シート前端部側を、切離用刻切線を介して所定長さ分だけ２条の剥離シートに切り離し分断した後、長尺状剥離シートの切離用の刻切線を境にして主ラベルシートが仮貼着されている一方側の剥離シートの前端部を、ラベル貼着手段の先端部の剥離用板と、その剥離用板の上側に対峙する上部ガイド板との間を通って、その剥離用板の前端縁によりＶ字状又はＵ字状に折り返した後、その剥離用板と、その剥離用板の下側に対峙する下部ガイド板との間に水平方向にガイドして使用することを特徴とする物流管理用ラベル使用方法。
【発明の詳細な説明】
【技術分野】
【０００１】
本発明は、飲料、食品、調味料など食品類、あるいは医薬品類やトイレタリー関連商品類など各種物流商品類のラベルに用いられ、特に製造、出荷、販売等の物流管理において使用可能な物流管理用ラベルに関する。
【背景技術】
【０００２】
従来よりペットボトル飲料、ガラス瓶飲料をはじめとする各種の食品関連商品や、シャンプー、リンスなどのトイレタリー関連商品の各種販売や販売促進などには、一般的に、その商品に関する各種情報を表示した商品表示ラベルが、その商品や商品ケースなどに貼着されて使用されている。
【０００３】
この類のラベルとしては、一般的に、図５（ａ）のラベル側断面図、図５（ｂ）のラベル平面図に示すように、ロール状に巻かれた長尺状の剥離用基材シート層３ａの片面に易剥離層３ｂが形成されている長尺状剥離シート３の易剥離層３ｂ面に、ラベル基材シート層１の裏面に粘着剤層２を形成した複数枚の小片状のラベルシート１０を、該粘着剤層２を介して易剥離可能に規則的に配列して仮接着し、ロール状に巻き取ったロール状ラベルがある。
【０００４】
そのロール状ラベルの各々ラベルシート１０の表面には、予め商品に関する情報がラベル情報印刷層４として印刷表示されており、また、各々ラベルシートの表面は、商品や商品ケースなどに貼着する直前に、そのラベルシート１０の表面に印字手段によってラベル情報を印字することができるように印字用の空白欄となっているものもある。
【０００５】
上記ロール状ラベルを用いて、ラベル貼着対象商品として多数の商品に貼着する場合には、例えば、図６に示すようなラベル貼着手段３０（ラベラーと称す）の巻き出し軸３１にロール状ラベル２０を軸支し、装填して使用されるものであり、ロール状ラベル２０の長尺状剥離シート３の前端側を、手段３０先端部の側断面三角形状の剥離用三角板３２（又は側断面平行表裏面の剥離用板）と、その上側に対峙する上部ガイド板３６との間にガイドし、さらに剥離用三角板３２の頂角（又は前端縁）にて矢印方向にＶ字状又はＵ字状に折り返し、剥離用三角板３２の下側と、その三角板３２と対峙する下部ガイド板３９との間にガイドする。
【０００６】
そして、搭載する繰り出し手段（把手部３３、ハンドル３４、詳細は図示せず）を手にて把握し、ハンドル３４を支軸３５を中心にして矢印方向に運動させることにより、三角板３２と下部ガイド板３９との間にガイドした長尺状剥離シート３の前端側を順次、繰り出し手段と連動する繰り出し部（直線往復移動送り爪又は回転摩擦ロール）により矢印方向に繰り出しながらロール状ラベル２０を巻き出し、その剥離用三角板３２にて折り返される剥離シート３の易剥離層３ｂ面から、小片状のラベルシート１０を１枚ずつ剥離しながら、該ラベルシート１０の粘着剤層２を介して被着体である商品本体や商品ケース等の包装容器本体に貼着できるようになっている。
【０００７】
しかしながら、上記のようなラベル貼着手段３０を用いて多数の商品にラベルシート１０を貼着した場合には、貼着直後において、貼着に使用したラベルシート１０の表示情報別の枚数や貼着した商品の種類別の数量などの確認が困難であるため、貼着後に、再度、貼着使用された剥離後の剥離シート３の長さや、貼着完了した商品を１つずつ数え、その商品の種類別貼着数量の再確認を行って、貼着に使用したラベルシート１０の種類別枚数の確認や、貼着した商品の種類別数量の確認を行うことが必要になり、ラベルシートの種
類別の使用状況管理や、ラベル貼着した商品などの種類別数量管理など物流品のラベル貼着管理などに、かなりの手数と労力を要していた。
【特許文献１】特開平０６−０９９９６３号公報
【発明の開示】
【発明が解決しようとする課題】
【０００８】
本発明の課題は、市販のラベル貼着機に装填でき、従来と同様にしてラベル貼着機の先端部から繰り出して貼着使用できるロール状ラベルであって、ラベルシートの種類別の使用状況管理や、ラベル貼着した商品などの種類別数量管理など物流品のラベル貼着管理などの管理情報に利用するための控え用のラベルシートを剥離シートから剥離せずに保管できるようにすることにある。
【課題を解決するための手段】
【０００９】
本発明の請求項１に係る発明は、剥離用基材シートの片面に易剥離層を形成した長尺状剥離シートの易剥離層面に、ラベル基材シート層の裏面に粘着剤層を形成した複数枚の主ラベルシートと副ラベルシートとを該粘着剤層を介して規則的配列にて易剥離可能に仮接着したラベルであって、該長尺状剥離シートには、その長尺長手方向に沿って直線状に該剥離シートを２条に切り離し分断可能な１ラインの切離用の刻切線が刻切され、該ミシン目を境にして２条に切り離し分断可能な一方側の剥離シートには物流品に貼着するための主ラベルシート、他方側の剥離シートにはラベル控え用の１乃至複数の副ラベルシートが仮貼着されていることを特徴とする物流管理用ラベルである。
【００１０】
本発明の請求項２に係る発明は、上記請求項１に係る物流管理用ラベルにおいて、前記主ラベルシートとなるラベル基材シート層の表面には、物流品に関する情報が表示されていることを特徴とする物流管理用ラベルである。
【００１１】
本発明の請求項３に係る発明は、上記請求項１又は２に係る物流管理用ラベルにおいて前記副ラベルシートとなるラベル基材シート層の表面には、主ラベルシートとなるラベル基材シート層の表面に表示されている物流品に関する情報の控えとなる控え情報が表示されていることを特徴とする物流管理用ラベルである。
【００１２】
本発明の請求項４に係る発明は、上記請求項１に係る物流管理用ラベルにおいて、前記主ラベルシートとなるラベル基材シート層の表面、又は／及び前記副ラベルシートとなるラベル基材シート層の表面は、物流品に関する可変情報等の印字表示が可能な印字用空白欄など印字可能領域を呈していることを特徴とする物流管理用ラベルである。
【００１３】
本発明の請求項５に係る発明は、上記請求項４に係る物流管理用ラベルにおいて、前記主ラベルシートとなるラベル基材シート層の表面、又は／及び前記副ラベルシートとなるラベル基材シート層の表面には、予めラベル発行者名など物流品に関する固定情報が印刷されていることを特徴とする物流管理用ラベルである。
【００１４】
本発明の請求項６に係る発明は、上記請求項１乃至５のいずれか１項記載の物流管理用ラベルをロール状に巻き取り形成したロール状ラベル２０の巻き取り中心部２０ａを、ラベル貼着手段３０のラベル巻き出し軸３１に軸支し、ロール状ラベル２０の長尺状剥離シート３前端部側を、切離用刻切線５を介して所定長さ分だけ２条の剥離シート３Ａ、３Ｂに切り離し分断した後、長尺状剥離シート３の切離用の刻切線５を境にして主ラベルシート１０Ａが仮貼着されている一方側の剥離シート３Ａの前端部を、ラベル貼着手段３０の先端部の剥離用板３２と、その剥離用板３２の上側に対峙する上部ガイド板３６との間を通って、その剥離用板３２の前端縁によりＶ字状又はＵ字状に折り返した後、その剥離用
板３２と、その剥離用板３２の下側に対峙する下部ガイド板３９との間に水平方向にガイドして使用することを特徴とする物流管理用ラベル使用方法である。
【発明の効果】
【００１５】
本発明の物流管理用ラベルは、図１（ａ）〜（ｃ）に示すように、長尺状剥離シート３に、その長尺長手方向に沿って直線状に該剥離シートを２条の剥離シート３Ａ、３Ｂに切り離し分断可能な１ラインの切離用刻切線５が刻切してあり、該刻切線５を境にして２条に切り離し分断可能な一方側の剥離シート３Ａには、物流品に貼着するための主ラベルシート１０Ａが仮貼着され、他方側の剥離シート３Ｂには、ラベル控え用の副ラベルシート１０Ｂが仮貼着されて、図１（ｄ）に示すようなロール状ラベル２０として巻き取り形成されている。
【００１６】
そのために、図１（ｄ）に示すロール状ラベル２０の巻き取り中心部２０ａを、図２又は図６に示すような市販のラベル貼着手段３０のラベル巻き出し軸３１に軸支し、ロール状ラベル２０の長尺状剥離シート３前端部側を、切離用刻切線５を介して所定長さ分だけ２条の剥離シート３Ａ、３Ｂに切り離し分断した後、図２、図３に示すように長尺状剥離シート３の切離用の刻切線５を境にして主ラベルシート１０Ａが仮貼着されている一方側の剥離シート３Ａの前端部を、ラベル貼着手段３０の先端部の側断面三角形状の剥離用三角板３２（又は側断面平行表裏面の剥離用板）と、その剥離用板３２の上側に対峙する上部ガイド板３６との間を通って、その剥離用板３２の頂角（又は前端縁）によりＶ字状又はＵ字状に折り返し、その剥離用板３２と、その剥離用板３２の下側に対峙する下部ガイド板３９との間に水平方向にガイドすることができる。
【００１７】
他方、副ラベルシート１０Ｂが仮貼着されている他方側の剥離シート３Ｂの前端部を、その剥離用板３２の上側、及びそのまま剥離用板３２の頂角（又は前端縁）上側を通って前方に水平方向にガイドすることができる。
【００１８】
そのために、ラベル貼着手段３０に搭載する繰り出し手段（把手部３３、ハンドル３４）を手にて把握し、ハンドル３４を支軸３５を中心にして矢印方向に運動させることにより、剥離用板３２と下部ガイド板３９との間にガイドした長尺状剥離シート３の前端側を順次、繰り出し手段と連動する繰り出し部（直線往復移動送り爪又は回転摩擦ロール）により矢印方向に繰り出しながらロール状ラベル２０を巻き出し、その剥離用板３２にて折り返される一方側の長尺状剥離シート３Ａの易剥離層３ｂ面から、主ラベルシート１０Ａを１枚ずつ剥離しながら、該ラベルシート１０Ａの粘着剤層２を介して被着体である商品本体や商品ケース等の包装容器本体に貼着することができる。
【００１９】
他方、副ラベルシート１０Ｂが仮貼着されている他方側の長尺状剥離シート３Ｂは、剥離用板３２の前方にそのまま水平方向に繰り出されるため、該剥離シート３Ｂの易剥離層３ｂ面に仮貼着した副ラベルシート１０Ｂは、該易剥離層３ｂ面から剥離せずに剥離シート３Ｂに仮貼着され保持された状態で、該剥離シート３Ｂと共に、そのまま剥離用板３２の前方に水平方向に繰り出すことができる。
【００２０】
そして、本発明の物流管理用ラベルは、前記主ラベルシート１０Ａとなるラベル基材シート層１の表面には、予め物流品に関する情報、例えば銘柄、製造者、販売者、物品コード、商品説明、絵柄などの物流品情報４Ａが表示されており、また、前記主ラベルシート１０Ａに対して切離用の刻切線５を挟んで対向配置された副ラベルシート１０Ｂとなるラベル基材シート層１の表面には、当該主ラベルシート１０Ａのラベル基材シート層１の表面に表示されている物流品情報４Ａの控えとなり、また物流管理用情報となる控え情報４Ｂ（例えば、当該物流品情報４Ａと同一、又は対応する品コード番号、記号など）が表示されている。
【００２１】
したがって、本発明の物流管理用ラベルは、市販のラベル貼着機３０の巻き出し軸３１に相当する部位に支持して装填でき、従来と同様にして、ラベル貼着機３０の先端部にて剥離シート３Ａから主ラベルシート１０Ａを剥離して繰り出し、物流品に対して貼着して使用できるロール状ラベル２０として使用でき、そして、副ラベルシート１０Ｂは、剥離シート３Ｂから剥離させずに、該剥離シート３Ｂに仮貼着保持した状態で繰り出されるため、ラベル情報控え用や管理情報用の資料として保管することができ、各ラベルシート１０の種類別の使用状況管理や、ラベルを貼着した商品などの種類別数量管理など物流品のラベル貼着管理などラベル管理情報として利用することができる。
【００２２】
また、本発明の物流管理用ラベルは、上記物流管理用ラベルにおいて、前記主ラベルシート１０Ａとなるラベル基材シート層１の表面及び前記副ラベルシート１０Ｂとなるラベル基材シート層１の表面を、物流品に関する情報４Ａ、４Ｂ等の印字表示がされていない物流品に関する情報等の印字表示が可能な印字用空白欄とすることができ、あるいは、前記印字用空白欄には、予め物流品に関する情報等の印字表示者名（ラベル発行者名など）を印字してもよい。
【００２３】
そのために、主ラベルシート１０Ａ及び副ラベルシート１０Ｂのラベル基材シート層１表面の印字用空白欄には、ラベルシート１０を貼着する直前に、ラベル貼着手段３０に搭載したラベル巻き出し軸３１から巻き出されるラベルシート１０Ａや１０Ｂの表面に印字が可能なインクジェット方式や静電トナー方式などの無圧印刷手段をはじめとして印圧を必要とする各種印字手段によって、各種商品などの物流品に関するラベル情報や最新情報４Ａ（例えば、価格、賞味期限など）や控え情報４Ｂなどをリアルタイムで印字することができ、印字した後に、主ラベルシート１０Ａを貼着対象の物流品に貼着することができる。
【発明を実施するための最良の形態】
【００２４】
本発明の物流管理用ラベルの実施の形態を、以下に詳細に説明する。図１（ａ）は、本発明の物流管理用ラベルの側断面図、図１（ｂ）はその平面図であり、本発明のラベルは図１（ａ）に示すように、剥離用基材シート３ａの片面に易剥離層３ｂ（シリコーン樹脂層など）を形成した長尺状剥離シート３（セパレータ）の易剥離層３ｂ面に、ラベル基材シート層１の裏面に粘着剤層２（感圧性接着剤）を形成した複数枚の主ラベルシート１０Ａと、副ラベルシート１０Ｂとを、該粘着剤層２を介して規則的配列にて易剥離可能に仮接着したラベルである。
【００２５】
該長尺状剥離シート３には、その長尺長手方向に沿って直線状に、該剥離シート３を２条の剥離シート３Ａと３Ｂとに切り離し分断可能な１ラインの切離用の刻切線５（ミシン目又はハーフカット）が刻切されている。
【００２６】
そして、該長尺状剥離シート３の刻切線５を境にして２条に切り離し分断可能な一方側の剥離シート３Ａの易剥離層３ｂ面には、物流品に貼着するための主ラベルシート１０Ａが粘着剤層２を介して仮貼着されており、他方側の剥離シート３Ｂの易剥離層３ｂ面には、１乃至複数のラベル控え用の副ラベルシート１０Ｂが粘着剤層２を介して仮貼着されている。
【００２７】
図１（ｃ）は、本発明の物流管理用ラベルの１つの具体例を示す平面図であり、主ラベルシート１０Ａの表面には、物流品取扱者であるラベル発行者名（ラベル発行会社名、ラベル情報表示者名など）、各ラベルシート毎（又はラベル貼着対象物である各物流品毎）の識別用の固有のシリアルナンバー（通し番号、記号など）、問合せ先電話番号、物流品説明書き、また、必要に応じて情報読み取り用の一次元表示バーコード、二次元表示コー
ド（形状、画像表示コード、スクエアーコード）など識別コードが、固定情報又は／及び可変情報として印刷又は／及び印字などにて表示されている。
【００２８】
また、副ラベルシート１０Ｂとして、例えば２段に設けた各々副ラベルシートＢ、Ｂの一方の副ラベルシートＢの表面には、物流品取扱者である前記ラベル発行者用の物流品出荷控えとして、前記主ラベルシート１０Ａに表示したナンバーと同一ナンバーである各ラベルシート毎の固有のシリアルナンバー（通し番号、記号など）、また、必要に応じて情報読み取り用の一次元表示バーコード、二次元表示コード（形状、画像表示コード、スクエアーコード）など識別コードが、固定情報又は／及び可変情報として印刷又は／及び印字などにて表示されている。
【００２９】
また、２段に設けた各々副ラベルシートＢ、Ｂの他方の副ラベルシートＢの表面には、例えば、その物流品の購買者（顧客）であるお客様用控えとして、前記主ラベルシート１０Ａに表示したナンバーと同一ナンバーである各ラベルシート毎の固有のシリアルナンバー（通し番号、記号など）など識別コードが、固定情報又は／及び可変情報として印刷又は／及び印字などにて表示されている。
【００３０】
そして、該長尺状剥離シート３には、それぞれ主ラベルシート１０Ａと副ラベルシート１０Ｂとを刻切線５を介して対向して配置してあり、図１（ｄ）に示すように、ロール状に巻き取られ、ロール状ラベル２０として形成されている。
【００３１】
前記ラベル基材シート層１は、透明な樹脂フィルム乃至不透明な樹脂フィルム、又は用紙、又はアルミニウム箔など、あるいはそれらの積層された複合シートが使用される。
【００３２】
図１（ａ）に示すように、前記主ラベルシート１０Ａとなるラベル基材シート層１の表面には、予め物流品に関する情報、例えば、銘柄、製造者、販売者、物品コード、商品説明、絵柄などの物流品情報４Ａが表示されており、また、前記主ラベルシート１０Ａに対して切離用の刻切線５を挟んで対向配置された副ラベルシート１０Ｂとなるラベル基材シート層１の表面には、当該主ラベルシート１０Ａのラベル基材シート層１の表面に表示されている物流品情報４Ａの控えとなり、また、物流管理用情報となる控え情報４Ｂ（例えば、当該物流品情報４Ａと同一、又は対応する品コード番号、記号など）が表示されている。
【００３３】
また、本発明の物流管理用ラベルの他の実施の形態としては、上記物流管理用ラベルにおいて、前記主ラベルシート１０Ａとなるラベル基材シート層１の表面、及び前記副ラベルシート１０Ｂとなるラベル基材シート層１の表面は、物流品に関する上記ラベル情報４Ａや控え情報４Ｂなどの印字表示をすることができるように、印字用の空白欄となっていてもよく、ラベルシート１０（１０Ａ、１０Ｂ）を物流品（各種商品など）に粘着剤層２を介して貼着する直前に、そのシート１０の表面に直接、適宜な印字手段を用いてリアルタイムで物流品に関する上記ラベル情報４Ａや控え情報４Ｂなどを印字表示することができる。
【００３４】
また、ラベルシート１０（１０Ａ、１０Ｂ）の前記印字用空白欄には、予め物流品に関する情報等の印字表示者名（ラベル発行者名など）が印字されていてもよい。
【００３５】
本発明の物流管理用ラベルの使用方法を、以下に詳細に説明すれば、図２の側面図（又は図６の側面図）に示すように、本発明の物流管理用ラベルをロール状に巻き取り形成したロール状ラベル２０の巻き取り中心部２０ａを、市販のラベル貼着手段３０のラベル巻き出し軸３１に軸支する。
【００３６】
そして、ロール状ラベル２０の長尺状剥離シート３前端部側を、切離用刻切線５を介して所定長さ分だけ２条の剥離シート３Ａ、３Ｂに切り離し分断した後、図２、図３に示すように長尺状剥離シート３の切離用の刻切線５を境にして、主ラベルシート１０Ａが仮貼着されている一方側の剥離シート３Ａの前端部を、ラベル貼着手段３０の先端部の側断面三角形状の剥離用三角板３２（又は側断面平行表裏面の剥離用板）と、その剥離用板３２の上側に対峙する上部ガイド板３６との間を通って、その剥離用板３２の頂角（又は前端縁）によりＶ字状又はＵ字状に折り返し、その剥離用板３２と、その剥離用板３２の下側に対峙する下部ガイド板３９との間に水平方向にガイドする。
【００３７】
他方、副ラベルシート１０Ｂが仮貼着されている他方側の剥離シート３Ｂの前端部を、その剥離用板３２の上側、及びそのまま剥離用板３２の頂角（又は前端縁）上側を通って前方に水平方向にガイドする。
【００３８】
そして、図２に示すラベル貼着手段３０に搭載する繰り出し手段（把手部３３、ハンドル３４）を手にて把握し、ハンドル３４を支軸３５を中心にして矢印方向に運動させることにより、図２、図３に示すように、剥離用板３２と下部ガイド板３９との間にガイドした長尺状剥離シート３の前端側を、順次、繰り出し手段と連動する繰り出し部（後述する直線往復移動送り爪又は回転摩擦ロールなど）により矢印方向に繰り出しながらロール状ラベル２０を巻き出す。
【００３９】
そして、その剥離用板３２にて折り返される一方側の長尺状剥離シート３Ａの易剥離層３ｂ面から、主ラベルシート１０Ａを１枚ずつ剥離しながら、ラベル貼着手段３０の先端部の貼着ロール３７の下側に繰り出して、該貼着ロール３７によりラベルシート１０Ａの粘着剤層２を介して被着体である商品本体や商品ケース等の包装容器本体に貼着する。
【００４０】
他方、副ラベルシート１０Ｂが仮貼着されている他方側の長尺状剥離シート３Ｂは、図２、図３、図４に示すように、剥離用板３２の前方にそのまま水平方向に繰り出し、該剥離シート３Ｂの易剥離層３ｂ面に仮貼着した副ラベルシート１０Ｂは、該易剥離層３ｂ面から剥離せずに剥離シート３Ｂに仮貼着され保持された状態で、該剥離シート３Ｂと共に、そのまま剥離用板３２の前方に水平方向に繰り出す。
【００４１】
本発明の物流管理用ラベルは、前記主ラベルシート１０Ａとなるラベル基材シート層１の表面には、予め物流品に関する情報、例えば銘柄、製造者、販売者、物品コード、商品説明、絵柄などの物流品情報４Ａが表示されている。
【００４２】
また、前記主ラベルシート１０Ａに対して切離用の刻切線５を挟んで対向配置された副ラベルシート１０Ｂとなるラベル基材シート層１の表面には、当該主ラベルシート１０Ａのラベル基材シート層１の表面に表示されている物流品情報４Ａの控えとなり、また物流管理用情報となる控え情報４Ｂ（例えば、当該物流品情報４Ａと同一、又は対応する品コード番号、記号など）が表示されていて、剥離シート３Ｂの易剥離層３ｂ面に仮貼着した副ラベルシート１０Ｂは、該易剥離層３ｂ面から剥離せずに、剥離シート３Ｂに仮貼着され保持された状態で、該剥離シート３Ｂと共に、そのまま剥離用板３２の前方に水平方向に繰り出されて、ラベル情報控え用や、各ラベルシート１０の種類別の使用状況管理や、ラベルを貼着した商品などの種類別数量管理など物流品のラベル貼着管理用の管理情報用資料として保管される。
【００４３】
本発明のロール状に巻き取り形成した物流管理用ラベル（ロール状ラベル２０）を装填支持して繰り出し貼着するラベル貼着手段３０に搭載する繰り出し手段のハンドル部３４と連動する繰り出し部の構造は、ロール状ラベル２０の剥離用板３２以後の巻き出し前端部側を、所定長さずつ繰り出す構造であれば、本発明においては特に限定されるものでは
ないが、例えば、繰り出し手段３３、３４と連動して直線往復移動する送り爪方式、又は間欠回転する摩擦ロール方式などがある。
【００４４】
例えば、一例として、図２に示すラベル貼着手段３０の繰り出し部の構造は、繰り出し手段のハンドル部３４がラベル貼着手段３０の本体フレーム側に支軸３５に軸支されていて、該ハンドル部３４の内端部に支軸３５を中心とする扇形ギア３４ａを備え、ロール状ラベル２０を軸支する支軸部３１には扇形ギア３１ａを備え、該扇形ギア３１ａには一体的に揺動アーム３１ｂを備え、該扇形ギア３４ａと扇形ギア３１ａとの間には伝動ギア３４ｂが噛合している。
【００４５】
繰り出し手段の把手部３３とハンドル部３４とを把握して、ハンドル部３４を支軸３５を中心に矢印方向に回動させることにより、扇形ギア３４ａ、伝動ギア３４ｂ、扇形ギア３１ａ、及び扇形ギア３１ａと一体的な揺動アーム３１ｂがスイング動作して、該揺動アーム３１ｂの先端部の長孔３１ｃ内に嵌入しているフォロア３８ａと一体的な移動体３８（剥離シート繰り出し部）がリニアガイド３８ｂに沿って直線往復移動する。
【００４６】
図２に示すように、移動体３８がリニアガイド３８ｂに沿って図面右方向に直線移動した際には、該移動体３８に剥離シート３Ａ面及び下部ガイド板３９内面に向かって剥離シート３Ａの繰り出し方向に向かって傾斜して取り付けた係合爪３８ｃの傾斜する爪先と剥離シート３Ａとの間の摩擦力により剥離シート３Ａを矢印方向に繰り出すことができ、他方、移動体３８がリニアガイド３８ｂに沿って図面左方向に直線移動した際には、係合爪３８ｃの傾斜する爪先と剥離シート３Ａとの間の摩擦力が低下して、係合爪３８ｃは剥離シート３Ａ面を滑動して、図面左端の元の位置に復帰動作するものである。
【図面の簡単な説明】
【００４７】
【図１】（ａ）は本発明の物流管理用ラベルの側断面図、（ｂ）は本発明の物流管理用ラベルの平面図、（ｃ）は本発明の物流管理用ラベルの具体例を示す拡大平面図、（ｄ）は本発明の物流管理用ラベルをロール状に巻き取り形成した状態のロール状ラベルの斜視図。
【図２】本発明の物流管理用ラベルの使用方法を説明するラベル貼着手段の側面図。
【図３】本発明の物流管理用ラベルの使用方法を説明するラベル貼着手段の底面図。
【図４】本発明の物流管理用ラベルの使用方法を説明するラベル貼着手段の斜視図。
【図５】（ａ）は従来のラベルの側断面図、（ｂ）はその平面図。
【図６】従来のラベルをロール状に巻き取り形成したロール状ラベルの使用方法を説明するラベル貼着手段の側面図。
【図７】従来のラベルをロール状に巻き取り形成したロール状ラベルの使用方法を説明するラベル貼着手段の底面図。
【符号の説明】
【００４８】
１…ラベル基材シート層  ２…粘着剤層  ３…長尺状剥離シート  
３Ａ…主ラベルシートを仮貼着した剥離シート  
３Ｂ…副ラベルシートを仮貼着した剥離シート  ４…ラベル表示部  ５…刻切線  
１０…ラベルシート  １０Ａ…主ラベルシート  １０Ｂ…副ラベルシート
２０…ロール状ラベル  ３０…ラベル貼着手段  ３１…巻き出し支軸
３２…剥離用板  ３６…上部ガイド板  ３８…剥離シート繰り出し部
３９…下部ガイド板
【図１】
2005212959.tif 000003
【図２】
2005212959.tif 000004
【図３】
2005212959.tif 000005
【図４】
2005212959.tif 000006
【図５】
2005212959.tif 000007
【図６】
2005212959.tif 000008
【図７】
2005212959.tif 000009